(57)【要約】      （修正有）【課題】屋外等での使用に適し、持ち運び可能な携帯用のテーブル及びテーブルセットを提供する。【解決手段】持ち運び可能な携帯用のテーブルである。テーブルは、長方形の天板２と、天板２に固定された脚部３とを有している。天板２には、食器を保持するための複数の貫通穴４が設けられている。【選択図】図１
0003196350.tif 000002
【実用新案登録請求の範囲】
【請求項１】
持ち運び可能な携帯用のテーブルであって、
長方形の天板と、前記天板に固定された脚部とを有し、
前記天板には、食器を保持するための複数の貫通穴が設けられていることを特徴とするテーブル。
【請求項２】
前記複数の貫通穴は、前記天板の長手方向の中央領域に設けられたコップ用の小穴と、前記小穴の両側に設けられた皿用の２つの大穴とを含む請求項１に記載のテーブル。
【請求項３】
前記２つの大穴は、大きさが異なっている請求項２に記載のテーブル。
【請求項４】
前記脚部は、前記天板の長手方向の両側にそれぞれ設けられた脚部材からなり、
前記各脚部材は、天板の短辺に沿ってのびる板状で、かつ、前記天板の下面から下方にのびている請求項１乃至３のいずれかに記載のテーブル。
【請求項５】
前記各脚部材の下面は、地面に接地する接地部と、地面に接地しない凹部とを含む請求項４記載のテーブル。
【請求項６】
前記天板及び前記脚部は、木製であり、前記天板と前記脚部材とが実継ぎで固定されている請求項４又は５に記載のテーブル。
【請求項７】
請求項１乃至６のいずれかに記載のテーブルを複数個組み合わせたテーブルセットであって、
前記テーブルは、前記天板の長手方向の長さが小さい小テーブルと、前記天板の長手方向の長さが大きい大テーブルとを含み、
テーブルの向きを互いに揃えた状態で、前記小テーブルの天板の上面に、前記大テーブルの天板の下面を接触させてコンパクトに積み重ねが可能なことを特徴とするテーブルセット。
【請求項８】
前記積み重ね時、前記大テーブルの前記脚部は、前記小テーブルの前記天板の長手方向の移動を拘束する請求項７記載のテーブルセット。
【請求項９】
前記積み重ね時、前記小テーブルの天板の少なくとも１つの貫通穴と、前記大テーブルの天板の少なくとも１つの貫通穴とが上下に連続する請求項７又は８に記載の携帯用テーブルセット。
【請求項１０】
前記積み重ねられた前記テーブルセットを収納するための収納箱をさらに含む請求項７ないし９のいずれかに記載のテーブルセット。
【考案の詳細な説明】
【技術分野】
【０００１】
本考案は、屋外等での使用に適し、持ち運び可能な携帯用のテーブル及びテーブルセットに関する。
【背景技術】
【０００２】
従来、ハイキングやピクニック等の屋外での食事の際に使用される小型の携帯用のテーブルが提案されている。例えば、下記特許文献１のテーブルは、食器用の凹所とコップ用の立て孔とを有する天板（トレイ本体）及び脚部を備えている。天板（トレイ本体）は、凹所周辺に紙皿押さえが形成されている。これにより、特許文献１は、屋外等で使用する際に、紙皿が風で吹き飛ばないテーブルを提供している。
【先行技術文献】
【特許文献】
【０００３】
【特許文献１】登録実用新案第３０１５５２０号公報
【考案の概要】
【考案が解決しようとする課題】
【０００４】
しかしながら、特許文献１のテーブルは、凹所及び紙押さえを有する構造が複雑であり、破損や故障の原因となっていた。このため、耐久性が低く、テーブルを長期にわたって使用することが困難であった。
【０００５】
本考案は、以上のような実状に鑑み案出されたもので、複数の貫通穴を有する天板に脚部を固定することを基本として、屋外等での使用に適し、持ち運び可能な携帯用のテーブル及びテーブルセットを提供することを主たる目的としている。
【課題を解決するための手段】
【０００６】
本考案は、持ち運び可能な携帯用のテーブルであって、長方形の天板と、前記天板に固定された脚部とを有し、前記天板には、食器を保持するための複数の貫通穴が設けられていることを特徴とする。
【０００７】
本考案に係るテーブルにおいて、複数の貫通穴は、前記天板の長手方向の中央領域に設けられたコップ用の小穴と、前記小穴の両側に設けられた皿用の２つの大穴とを含むのが望ましい。
【０００８】
本考案に係るテーブルにおいて、２つの大穴は、大きさが異なっているのが望ましい。
【０００９】
本考案に係るテーブルにおいて、脚部は、前記天板の長手方向の両側にそれぞれ設けられた脚部材からなり、前記各脚部材は、天板の短辺に沿ってのびる板状で、かつ、前記天板の下面から下方にのびているのが望ましい。
【００１０】
本考案に係るテーブルにおいて、各脚部材の下面は、地面に接地する接地部と、地面に接地しない凹部とを含むのが望ましい。
【００１１】
本考案に係るテーブルにおいて、天板及び前記脚部は、木製であり、前記天板と前記脚部材とが実継ぎで固定されているのが望ましい。
【００１２】
本考案に係るテーブルを複数個組み合わせたテーブルセットであって、前記テーブルは、前記天板の長手方向の長さが小さい小テーブルと、前記天板の長手方向の長さが大きい大テーブルとを含み、テーブルの向きを互いに揃えた状態で、前記小テーブルの天板の上面に、前記大テーブルの天板の下面を接触させてコンパクトに積み重ねが可能なことを特徴とする。
【００１３】
本考案に係るテーブルセットにおいて、積み重ね時、前記大テーブルの前記脚部は、前記小テーブルの前記天板の長手方向の移動を拘束するのが望ましい。
【００１４】
本考案に係るテーブルセットにおいて、積み重ね時、前記小テーブルの天板の少なくとも１つの貫通穴と、前記大テーブルの天板の少なくとも１つの貫通穴とが上下に連続するのが望ましい。
【００１５】
本考案に係るテーブルセットにおいて、積み重ねられた前記テーブルセットを収納するための収納箱をさらに含むのが望ましい。
【考案の効果】
【００１６】
本考案のテーブルの天板には、複数の食器を保持するための複数の貫通穴が設けられている。各食器は、貫通穴に保持されるため、屋外で使用しても、風で食器が飛ばされるおそれがない。また、食器を保持する手段が貫通穴であるため、凹所や紙押さえを有するものに比べて、テーブルの構造がシンプルであり、破損や故障のおそれが少ない。従って、テーブルは、耐久性があり、このテーブルを長期にわたって使用することができる。
【００１７】
以上のように、本考案のテーブルは、屋外等での使用に適し、持ち運び可能な携帯用のテーブルであって、長期にわたって使用可能である。
【図面の簡単な説明】
【００１８】
【図１】本実施形態のテーブルを示す斜視図である。
【図２】図１のテーブルの平面図である。
【図３】図２のテーブルのＡ−Ａ線断面図である。
【図４】図１のテーブルの側面図である。
【図５】図３のテーブルの要部拡大図である。
【図６】本実施形態のテーブルセットを示す斜視図である。
【図７】図６のテーブルセットの平面図である。
【図８】図７のテーブルセットのＢ−Ｂ線断面図である。
【図９】本実施形態のテーブルセットが収納された収納箱を示す斜視図である。
【図１０】図９の収納箱の蓋部を開けた平面図である。
【図１１】他の実施形態の収納箱を示す斜視図である。
【図１２】図１１の収納箱の蓋部を開けた平面図である。
【図１３】図１２の収納箱のＣ−Ｃ線断面図である。
【図１４】他の実施形態の貫通穴を示す断面図である。
【図１５】図１４の貫通穴の取り付けられる塞ぎ板を示す斜視図である。
【考案を実施するための形態】
【００１９】
以下、本考案の実施の一形態が図面に基づき説明される。
図１は、本実施形態のテーブル１を示す斜視図である。図１に示されるように、本実施形態のテーブル１は、長方形の天板２と、天板２に固定された脚部３とを有する。本実施形態では、天板２及び脚部３は、それぞれ、木製である。
【００２０】
長方形の天板２には、食器を保持するための複数の貫通穴４が設けられている。具体的には、複数の貫通穴４に、食器が差し込まれて、その位置が固定される。このため、ハイキングやピクニック時等に、本実施形態のテーブル１が屋外で使用される際、紙コップや紙皿といった軽い食器を用いた場合でも、風で食器が飛ばされるおそれが少ない。本実施形態では、特に断りがない場合、各食器は、紙コップや紙皿等の持ち運び可能な携帯用の食器を意味する。
【００２１】
図２には、本実施形態のテーブル１の平面図が示されている。図２に示されるように、本実施形態の複数の貫通穴４は、天板２の長手方向の中央領域に設けられたコップ用の小穴５と、小穴５の両側に設けられた皿用の２つの大穴６，７とを含んでいる。食器を保持する手段が小穴５及び大穴６，７であるため、テーブル１は、構造がシンプルである。従って、テーブル１は、破損や故障のおそれが少ない。
【００２２】
本実施形態では、皿用の２つの大穴６，７は、大きさが異なっている。このため、大きさの異なる２種類の皿が使用された場合でも、各皿は、それぞれに対応した大穴６，７で保持され得る。本実施形態では、大穴６は、大穴７よりも小さい。従って、例えば、小さい方の大穴６が、深皿用として使用され、大きい方の大穴７が、平皿用として使用され得る。
【００２３】
図３には、図２のテーブル１のＡ−Ａ線断面図が示されている。図３に示されるように、本実施形態の脚部３は、天板２の長手方向の両側に設けられた脚部材８，８により構成される。このため、テーブル１を置く場所に凹凸があったとしても、テーブル１は、がたつきが少なく、安定した状態で食器を保持できる。
【００２４】
脚部３を構成する各脚部材８は、天板２の短辺に沿ってのびる板状である（図１に示す。）。このため、各脚部材８は、例えば脚が折れるといった破損が起こり難く、テーブル１の耐久性が向上する。また、各脚部材８は、天板２の下面から下方にのびている。このため、テーブル１は、強度に優れ、例えば天板２に人が寄りかかる等、大きな負荷が生じた場合でも、破損し難い。
【００２５】
図４には、本実施形態のテーブル１の側面図が示されている。図４に示されるように、各脚部材８の下面は、地面に接地する接地部８ｅと、地面に接地しない凹部８ｓとを含んでいる。本実施形態では、接地部８ｅは、各脚部材８の両端部の２ヶ所に設けられており、凹部８ｓは、接地部８ｅ，８ｅ間に設けられている。このため、テーブル１を置く場所に凹凸があったとしても、テーブル１は、天板の短手方向にもがたつきが少なく、安定した状態で食器を保持できる。
【００２６】
図５には、図３のテーブル１の要部拡大図が示されている。図５に示されるように、本実施形態では、天板２と脚部材８とは、実継ぎで固定されている。このため、天板２と脚部材８との接合強度が高く、テーブル１の耐久性が向上する。また、テーブル１の天板２上は、釘等の異質な物がなく、物が引っかかるといった不具合も発生しない。
【００２７】
本実施形態では、天板２の短辺に溝２ｄが形成され、脚部材８に溝８ｄが形成されている。ここで、脚部材８の溝８ｄは、脚部材８の木目と、略平行となるように形成されている。このため、溝８ｄ部周辺の比較的板厚が薄い部位に外力が加わったとしても、強度が保たれ破損し難い。
【００２８】
天板２と脚部材８とは、両溝２ｄ，８ｄに接合部材９が挿入される、いわゆる雇い実継ぎで固定されている。このため、天板２及び脚部材８の加工が容易であり、生産性が向上する。天板２と脚部材８とは、いずれか一方が凸形状に加工されて、接合部材９の機能を有する、いわゆる本実継ぎで固定されてもよい。
【００２９】
図４に示されるように、本実施形態では、両溝２ｄ，８ｄ及び接合部材９の長さは、天板２の短辺の長さに等しい。このため、接合部材９は、その長さを長くすることができ、接合強度のさらなる向上に貢献している。両溝２ｄ，８ｄ及び接合部材９の長さは、天板２の短辺の長さよりも短くして、天板２の短辺の両端部から接合部材９が見えないようにしてもよい。
【００３０】
天板２と脚部材８との接合面は、付加的に接着剤が塗布されていてもよい。接着剤が塗布されていると、天板２と脚部材８との接合強度は、一段と高いものとなり、テーブル１の耐久性は、さらに向上する。
【００３１】
図６は、本実施形態のテーブルセット１０を示す斜視図である。図６に示されるように、テーブル１は、複数個組み合わされることで、テーブルセット１０が構成される。テーブルセット１０は、例えば家族で使う場合等、複数の人間が各自のテーブル１を使用する際に、利便性が高い。
【００３２】
テーブル１は、天板２ａの長手方向の長さが小さい小テーブル１ａと、天板２ｂの長手方向の長さが小テーブル１ａよりも大きい大テーブル１ｂとを少なくとも含んでいる。このため、テーブルセット１０は、各テーブル１ａ，１ｂの向きを互いに揃えた状態で、小テーブル１ａの天板２ａの上面に、大テーブル１ｂの天板２ｂの下面を接触させることができる。従って、テーブルセット１０は、コンパクトに積み重ねが可能である。
【００３３】
本実施形態のテーブルセット１０は、一例として、テーブル１ａからテーブル１ｅまで、天板２の長手方向の長さの異なる５個のテーブル１を組み合わせたものが示されている。各天板２の長手方向の長さを比較した場合、長手方向の長さがより小さな小テーブル１ａ〜１ｄと、より大きな大テーブル１ｂ〜１ｅとは、それぞれ、前述の小テーブル１ａ及び大テーブル１ｂの関係と同様の関係を有している。このため、テーブルセット１０は、５個のテーブル１を組み合わせたものであっても、コンパクトに積み重ねが可能である。
【００３４】
図７には、図６のテーブルセットの平面図が示されており、図８には、図７のテーブルセットのＢ−Ｂ線断面図が示されている。図７、図８に示されるように、テーブルセット１０は、積み重ね時、小テーブル１ａ〜１ｄの少なくとも１つの貫通穴４（小穴５）と、大テーブル１ｂ〜１ｅの少なくとも１つの貫通穴４（小穴５）とが上下に連続している。このため、テーブルセット１０は、この上下に連続する貫通穴４を利用して積み重ねたテーブル１を支持することができる。
【００３５】
図８に示されるように、テーブルセット１０は、積み重ね時、大テーブル１ｂ〜１ｅの脚部８ｂ〜８ｅは、それぞれ、長手方向の長さが１段階小さい小テーブル１ａ〜１ｄの天板２ａ〜２ｄの長手方向の移動を拘束している。例えば、大テーブル１ｂの脚部８ｂ，８ｂ間の長さは、小テーブル１ａの天板２ａの長手方向の長さに略等しい。このため、テーブルセット１０は、積み重ねて移動する時にも、天板２が長手方向に動くことがない。
【００３６】
図９は、本実施形態のテーブルセット１０が収納された収納箱１１を示す斜視図である。収納箱１１は、積み重ねられたテーブルセット１０（図１０に示す。）を収納する箱である。図９に示されるように、収納箱１１は、蓋部１２と収納部１３とを有している。このため、テーブルセット１０は、未使用時に、ほこりをかぶることなく、コンパクトに保管され得る。
【００３７】
本実施形態では、蓋部１２は、収納箱１１の上面に位置し、片開きである。また、収納部１３は、１対の長側面、１対の短側面及び底面を含む略直方体の形状を有している。蓋部１２は、さらに取っ手１４を備えている。このため、テーブルセット１０は、移動時の持ち運びが容易であり、収納箱１１からの取り出しも容易に行ない得る。
【００３８】
図１０には、図９の収納箱１１の蓋部１２を開けた平面図が示されている。図１０に示されるように、テーブルセット１０は、収納部１３の長側面の１つに、大テーブル１ｅの天板２ｅが接するように収納されている。このため、テーブルセット１０は、必要なテーブル１のみが取り出され易く、例えば、テーブル１ｃのみが取り出されて使用され得る。
【００３９】
収納箱１１の材質は、特に限定されるものではないが、例えば、段ボールを採用することができる。収納箱１１が段ボールで作られることによって、テーブルセット１０は、移動時の衝撃から保護される。
【００４０】
図１１は、他の実施形態の収納箱１１Ａを示す斜視図である。図１１に示されるように、収納箱１１Ａは、両開きの蓋部１２Ａ，１２Ａと、略直方体の収納部１３Ａとを有している。蓋部１２Ａの一方は、さらに取っ手１４Ａを備えている。蓋部１２Ａ，１２Ａが大きく開くので、積み重ねられたテーブルセット１０（図１２に示す。）の取り出しは、さらに容易に行ない得る。
【００４１】
図１２には、図１１の収納箱１１Ａの蓋部１２Ａ，１２Ａを開けた平面図が示されており、図１３には、図１２の収納箱１１ＡのＣ−Ｃ線断面図が示されている。図１２，１３に示されるように、テーブルセット１０は、収納部１３Ａの底面に、大テーブル１ｅの天板２ｅが接するように収納されている。このため、収納箱１１Ａを置く場所が傾斜または凹凸形状であったとしても、収納箱１１Ａは、転倒することなく、安定した状態で蓋部１２Ａ，１２Ａが開かれる。
【００４２】
収納箱１１Ａは、例えば、収納部１３Ａの底面から、底面に対し垂直方向に支持部１５が形成されてもよい。支持部１５は、テーブルセット１０の上下に連続する貫通穴４に挿入される。このため、テーブルセット１０は、移動時に動いてずれることがない。また、収納箱１１Ａは、収納部１３Ａの各側面に負荷される力が小さくなるため、耐久性が向上する。
【００４３】
図１４は、他の実施形態の貫通穴４Ａを示す断面図であり、図１５は、図１４の貫通穴の取り付けられる塞ぎ板を示す斜視図である。図１４に示されるように、各貫通穴４Ａは、天板２Ａの上面から下面に向けて径が小さくなる、テーパ形状である。各貫通穴４Ａは、図１５に示されるような塞ぎ板１６で塞ぐことが可能である。このため、使用される皿の大きさが貫通穴４Ａの大きさに対し小さ過ぎる場合や、テーブル１Ａが他の目的で使用される場合にも、不要な貫通穴４Ａが塞がれて使用され得る。本実施形態では、各貫通穴４Ａは、テーパ形状であるものを示したが、例えば、段付き形状等、塞ぎ板を支持する構造であれば、別の形状を採用することもできる。
【００４４】
以上、本考案の特に好ましい実施形態について詳述したが、本考案は図示の実施形態に限定されることなく、種々の態様に変形して実施し得る。
【符号の説明】
【００４５】
１  テーブル
２  天板
３  脚部
４  貫通穴
１０  テーブルセット
１１  収納箱
【図１】
0003196350.tif 000003
【図２】
0003196350.tif 000004
【図３】
0003196350.tif 000005
【図４】
0003196350.tif 000006
【図５】
0003196350.tif 000007
【図６】
0003196350.tif 000008
【図７】
0003196350.tif 000009
【図８】
0003196350.tif 000010
【図９】
0003196350.tif 000011
【図１０】
0003196350.tif 000012
【図１１】
0003196350.tif 000013
【図１２】
0003196350.tif 000014
【図１３】
0003196350.tif 000015
【図１４】
0003196350.tif 000016
【図１５】
0003196350.tif 000017